(57)【要約】      （修正有）【課題】外気送風システム、暖房機器の機能が集積され、材料、取り付け、メンテナンスのコストが低減される、多機能外気送風機を提供する。【解決手段】第１循環室が形成され、外気送風ファン７とフィルタを含む外気送風モジュールであって、外気送風ファンとフィルタはいずれも第１循環室内に設けられ、第１循環室の側壁に外気送風入風口６と外気送風出風口１が開設され、外気送風入風口は室外に向き、外気送風出風口は室内に向く外気送風モジュールと、第１循環室と独立する第２循環室が形成され、機能送風機８を含む機能モジュールであって、機能送風機は第２循環室内に設けられ、第２循環室の側壁に機能入風口、機能出風口１０、及び機能還風口が開設され、機能入風口と機能還風口は室内に向き、機能出風口は室外に向く機能モジュールと、を含む多機能外気送風機。【選択図】図１
0003235004.tif 000002
【実用新案登録請求の範囲】
【請求項１】
第１循環室が形成され、外気送風ファンとフィルタを含む外気送風モジュールであって、前記外気送風ファンと前記フィルタはいずれも前記第１循環室内に設けられ、前記第１循環室の側壁に外気送風入風口と外気送風出風口が開設され、前記外気送風入風口は室外に向き、前記外気送風出風口は室内に向く外気送風モジュールと、
前記第１循環室と独立する第２循環室が形成され、機能送風機を含む機能モジュールであって、前記機能送風機は前記第２循環室内に設けられ、前記第２循環室の側壁に機能入風口、機能出風口、及び機能還風口が開設され、前記機能入風口と前記機能還風口は室内に向き、前記機能出風口は室外に向く機能モジュールと、を含む
ことを特徴とする多機能外気送風機。
【請求項２】
前記機能モジュールは、前記機能出風口に隣接して設けられる暖房ヒータをさらに含む
ことを特徴とする請求項１に記載の多機能外気送風機。
【請求項３】
前記多機能外気送風機はハウジングと機器パネルを含み、
前記機器パネルは前記ハウジングをカバーして設けられ、
前記ハウジング及び前記機器パネルの囲みにより、第１循環室及び第２循環室が形成される
ことを特徴とする請求項１に記載の多機能外気送風機。
【請求項４】
前記機能入風口と前記機能還風口はいずれも前記機器パネルに設けられる
ことを特徴とする請求項３に記載の多機能外気送風機。
【請求項５】
前記機器パネルには、前記フィルタを点検するための点検窓が開設される
ことを特徴とする請求項３に記載の多機能外気送風機。
【請求項６】
前記多機能外気送風機は、前記機器パネルに設けられる照明ランプをさらに含む
ことを特徴とする請求項３に記載の多機能外気送風機。
【請求項７】
前記外気送風入風口、前記外気送風出風口、及び前記機能出風口はいずれも前記ハウジングに設けられる
ことを特徴とする請求項３に記載の多機能外気送風機。
【請求項８】
前記フィルタは粗フィルタと精細フィルタを含む
ことを特徴とする請求項１に記載の多機能外気送風機。
【請求項９】
前記多機能外気送風機は、前記外気送風出風口に接続されるいくつの分岐管路をさらに含む
ことを特徴とする請求項１に記載の多機能外気送風機。
【請求項１０】
前記外気送風モジュールは、前記外気送風出風口に隣接して設けられる外気送風ヒータをさらに含む
ことを特徴とする請求項１に記載の多機能外気送風機。
【請求項１１】
前記機能送風機は、挿接口及び開口が設けられるスクロールケーシングを含み、
前記挿接口は前記機能還風口に対向して設けられ、
前記機能送風機はバッフルをさらに含み、
前記バッフルは、前記スクロールケーシング移動可能に接続され、前記開口が前記機能出風口と連通するように前記開口を開く、または前記開口が前記機能出風口と隔離されるように前記開口を閉めることができる
ことを特徴とする請求項１に記載の多機能外気送風機。
【考案の詳細な説明】
【技術分野】
【０００１】
本願は、２０１８年１１月２６日に中国特許局に提出し、出願番号がＣＮ２０１８２１９５４０１７.０であり、出願名称が「多機能外気送風機」である中国実用新案出願を優先権として主張し、その内容は全て引用により本願に組み込まれる。
【０００２】
本願は住宅用外気送風システム分野に関し、具体的には多機能外気送風機に関する。
【背景技術】
【０００３】
外気送風機は室外の新鮮な空気を室内に導入し且つ室内の汚れた空気を排出できる機器として、室内の二酸化炭素濃度、ホルムアルデヒド、ベンゼン等の有害ガスの含有量を効果的に低減させ、酸素含有量を増加させ、冷房病を予防できる。同時に、外気送風機にさらにエアフィルタが内蔵され、エアフィルタによって新鮮な空気における細菌、粒子状物質(ＰＭ２.５)、及び他の有害物質が濾過され、室内に導入された新鮮な空気の清浄度が保証される。
【０００４】
従来技術において、外気送風機の機能は比較的に単一であり、室内への送風/室内からの排風の機能しか実現できない。また、室内温度を低下させるために、キッチンにはさらに天井ファンが取り付けられることがある。キッチン内で外気送風と天井ファンの機能を同時に実現しようとする場合、異なる二台の機器を取り付ける必要があり、時間と手間がかかり、且つ占有スペースが多く、取り付け及びその後のメンテナンスコストが増加する。
【考案の概要】
【考案が解決しようとする課題】
【０００５】
これに基づき、多機能外気送風機を提供する必要がある。
【０００６】
第１循環室が形成され、外気送風ファンとフィルタを含む外気送風モジュールであって、前記外気送風ファンと前記フィルタはいずれも前記第１循環室内に設けられ、前記第１循環室の側壁に外気送風入風口と外気送風出風口が開設され、前記外気送風入風口は室外に向き、前記外気送風出風口は室内に向く外気送風モジュールと、
前記第１循環室と独立する第２循環室が形成され、機能送風機を含む機能モジュールであって、前記機能送風機は前記第２循環室内に設けられ、前記第２循環室の側壁に機能入風口、機能出風口、及び機能還風口が開設され、前記機能入風口と前記機能還風口は室内に向き、前記機能出風口は室外に向く機能モジュールと、を含む多機能外気送風機。
【０００７】
一実施例において、前記機能モジュールは、前記機能出風口に隣接して設けられる暖房ヒータをさらに含む。
【０００８】
一実施例において、前記多機能外気送風機はハウジングと機器パネルを含み、前記機器パネルは前記ハウジングをカバーして設けられ、前記ハウジング及び前記機器パネルの囲みにより、第１循環室及び第２循環室が形成される。
【０００９】
一実施例において、前記機能入風口と前記機能還風口はいずれも前記機器パネルに設けられる。
【００１０】
一実施例において、前記機器パネルには、前記フィルタを点検するための点検窓が開設される。
【００１１】
一実施例において、前記多機能外気送風機は、前記機器パネルに設けられる照明ランプをさらに含む。
【００１２】
一実施例において、前記外気送風入風口、前記外気送風出風口、及び前記機能出風口はいずれも前記ハウジングに設けられる。
【００１３】
一実施例において、前記フィルタは粗フィルタと精細フィルタを含む。
【００１４】
一実施例において、前記多機能外気送風機は、前記外気送風出風口に接続されるいくつの分岐管路をさらに含む。
【００１５】
一実施例において、前記外気送風モジュールは、前記外気送風出風口に隣接して設けられる外気送風ヒータをさらに含む。
【００１６】
一実施例において、前記機能送風機は、挿接口及び開口が設けられるスクロールケーシングを含み、前記挿接口は前記機能還風口に対向して設けられ、前記機能送風機はバッフルをさらに含み、前記バッフルは、前記スクロールケーシング移動可能に接続され、前記開口が前記機能出風口と連通するように前記開口を開く、または前記開口が前記機能出風口と隔離されるように前記開口を閉めることができる。
【００１７】
本願の１つまたは複数の実施例の詳細は、以下の図面および説明に記載される。本願の他の特徴、目的、及び利点は、明細書、図面、及び実用新案登録請求の範囲から明らかになるであろう。
【図面の簡単な説明】
【００１８】
本願の実施例又は従来技術における技術案をよりはっきり説明するために、以下、実施例又は従来技術の叙述に用いられる図面を簡単に紹介して、明らかに、以下述べた図面がただ本願のいくつかの実施形態であり、当業者にとっては、発明的な努力を費やしないことを前提として、これらの図面に基づいてその他の図面を得ることができる。
【００１９】
【図１】一実施形態における多機能外気送風機の正面図である。
【図２】一実施形態における多機能外気送風機における機器パネルの模式図である。
【図３】図１に示される多機能外気送風機における機能送風機の斜視図である。
【図４】図１に示される多機能外気送風機のＡ-Ａ方向に沿った断面図である。
【考案を実施するための形態】
【００２０】
本願の理解を容易にするために、以下に関連図面を参照して本願をより完全に説明する。図面に本願の好適な実施形態が示される。しかしながら、本願は、本明細書に記載の実施形態に限定されることなく、多くの異なる形態で実現することができる。逆に、これらの実施形態を提供する目的は、本願の開示内容をより完全に理解することである。
【００２１】
なお、要素は、別の要素に「固定されている」と呼ばれる場合、別の要素に直接固定されてもよいし、中央にある要素を介して固定されてもよい。要素は、別の要素に「接続されている」と考えられる場合、別の要素に直接接続されてもよいし、中央にある要素を介して接続されてもよい。本明細書に使用される「内」、「外」、「左」、「右」などの用語及び類似な表現は、ただ説明のためのものであり、唯一の実施形態を示すものではない。
【００２２】
多機能外気送風機は、キッチンまたはトイレとバスルームに取り付けるものである。該多機能外気送風機は外気送風モジュールと機能モジュールを含む。外気送風モジュールと機能モジュールはいずれも独立して設けられた循環室を含み、説明の便宜上、外気送風モジュール内に形成される循環室を「第１循環室」と呼び、機能モジュール内に形成される循環室を「第２循環室」と呼ぶ。
【００２３】
外気送風モジュールは外気送風ファン７とフィルタを含み、外気送風ファン７とフィルタはいずれも第１循環室内に設けられ、第１循環室の側壁に外気送風入風口６及び外気送風出風口１が開設され、外気送風入風口６は室外に向き、外気送風出風口１は室内に向く。
【００２４】
フィルタは粗フィルタ４及び精細フィルタ３を含む。一実施例において、粗フィルタ４は外気送風入風口１の内側に設けられ、精細フィルタ３は外気送風出風口１の内側に設けられる。他の実施例では、粗フィルタ４と精細フィルタ３とを並設してもよい。外気送風入風口１を介して第１循環室に入った新鮮な空気は、空気における細菌、粒子状物質(ＰＭ２.５)、及び他の有害物質が除去されるように、順次に粗フィルタ４によって粗濾過され、精細フィルタ３によって精細濾過されて、室内に導入される新鮮な空気の清浄度が保証される。
【００２５】
機能モジュールは機能ファン８を含み、機能ファン８は第２循環室内に設けられ、第２循環室の側壁に機能入風口１４、機能出風口１０、及び機能還風口１６が開設され、機能入風口１４及び機能還風口１６は室内に向き、機能出風口１０は室外に向く。
【００２６】
機能ファン８は羽根車８１とスクロールケーシング８２を含み、羽根車８１はスクロールケーシング８２内に設けられる。スクロールケーシングには挿接口８２ａ及び開口８２ｂが設けられ、挿接口８２ａは機能還風口１６に対向して設けられる。機能ファン８は、開口８２ｂを開閉するように、スクロールケーシング８２に移動可能に接続されるバッフル８３を更に含む。バッフル８３によって開口８２ｂが開かれると、開口８２ｂが機能出風口１０と連通し、第２循環室内の気体はスクロールケーシング８２を介して開口８２ｂ、機能出風口１０を経て室外に排出される。この時、機能モジュールは室内の空気を室外に排出することができる。バッフル８３によって開口８２ｂが閉められると、第２循環室内の気体はスクロールケーシング８２を介して挿接口８２ａ、機能還風口１６を経て室内に入る。
【００２７】
多機能外気送風機は、ハウジング５と機器パネル１７を更に含む。機器パネル１７はハウジング５をカバーして設けられる。ハウジング５及び機器パネル１７の囲みにより、第１循環室及び第２循環室は形成される。
【００２８】
外気送風入風口６、外気送風出風口１、及び機能出風口１０はいずれもハウジング５に設けられる。機能入風口１４と機能還風口１６はいずれも機器パネル１７に設けられる。
【００２９】
外気送風入風口６、外気送風出風口１、及び機能出風口１０は、最適な仕上げ空間を確保するように、同一平面に設けられている。
【００３０】
機器パネル１７には第１点検窓１２と第２点検窓１１が開設される。粗フィルタ４は第１点検窓１２に対向して設けられ、精細フィルタ３は第２点検窓１１に対向して設けられる。機器パネル１７には機能入風口１４と機能還風口１６がさらに設けられる。
【００３１】
一実施例において、外気送風モジュールの外気送風出風口１に複数の分岐管路が接続され、且つ分岐管路を介して外気送風が各部屋内に送り込まれる。
【００３２】
多機能外気送風機は、機器パネル１７に設けられる照明ランプ１３を更に含む。
【００３３】
外気送風モジュールは外気送風ヒータ２を更に含み、外気送風ヒータ２は、外気送風出風口１に隣接して設けられ、外気送風を加熱して人体快適性を向上させるために用いられる。
【００３４】
機能モジュールは暖房ヒータ９を更に含み、暖房ヒータ９は機能出風口１０に隣接して設けられる。機能モジュールに暖房ヒータ９を取り付けるための挿接口８ａが予備され、多機能外気送風機がトイレとバスルームに用いられる場合、機能モジュールに暖房ヒータ９を追加して取り付けることにより、温風バスの機能を実現することができる。多機能外気送風機がキッチンに用いられる場合、閉鎖蓋で挿接口８２ａを閉鎖すれば、キッチン天井ファンの機能を実現できる。
実施例一
【００３５】
多機能外気送風機はトイレとバスルームに用いられ、具体的には、多機能外気送風機はトイレとバスルームの吊り天井に固定される。
【００３６】
外気送風モジュールの動作フローは以下の通りである。外気送風ファン７により動力が提供され、新鮮な空気は配管を経て外気送風入風口６を介して室外から導入される；導入された新鮮な空気が順次に粗フィルタ４によって粗濾過され、精細フィルタ３によって精細濾過された後、清浄で新鮮な空気(外気送風とも呼ばれる)は得られる；外気送風は外気送風出風口１を介して室内に送り込まれる。
【００３７】
外気送風が外気送風出風口１を介して多機能外気送風機から流出される前に、外気送風ヒータ２で外気送風を加熱して室内温度を上げることにより、人体の快適性を向上させることができる。外気送風ヒータ２は、冬期または他の必要な場合室外から導入される新鮮な空気の温度を調節できるように、選択的に使用することができる。
【００３８】
外気送風出風口１は配管に合わせて外気送風を室内に送り込む。さらに、複数の室内空間の空気浄化需要を満たすように、外気送風出風口１に複数の分岐管路を設けて、そして異なる分岐管路をそれぞれトイレとバスルーム、寝室、または書斎等の室内空間に接続することができる。
【００３９】
機能モジュールを用いてトイレとバスルームを換気するフローは以下の通りである。機能ファン８により動力が提供され、室内空気は機能入風口１４から第２循環室に入る；さらに、第２循環室に入った汚れ空気は機能出風口１０を通過し配管に合わせて、負圧作用で排出される。該多機能外気送風機は、室内へ外気送風を導入する機能、及び室内の汚れ空気を集中的に排出する機能を同時に実現できる。
【００４０】
使用者が入浴する時、室内へ外気送風を導入する機能及び暖房機能を同時に実現する必要がある。外気送風を導入するフローは以下の通りである。外気送風ファン７により動力が提供され、室外の新鮮な空気は配管を経て外気送風入風口６を介して第１循環室に導入される；導入された新鮮な空気が粗フィルタ４、精細フィルタ３、外気送風ヒータ２を通過したあと、外気送風は得られる；さらに、外気送風は外気送風出風口１を通過し配管に合わせて、室内に送り込まれ、外気送風出風口１に接続されている分岐管路によっては、外気送風がトイレとバスルームに送り込まれることが可能である。暖房機能の実現は以下のステップを含む。機能ファン８がオンに制御され、室内空気は機能入風口１４から第２循環室に吸い込まれ、第２循環室に入った室内空気は暖房ヒータ９によって加熱された後、機能還風口１６から室内に排出され、これにより、暖房機能が実現される。この時、機能モジュールは外気と気体交換を行わず、外気送風モジュールによって換気を支援するだけである。
【００４１】
本実施例において、機器パネル１７は、多機能外気送風機を閉鎖するために、ハウジング５の端面に取り付けられている。機器パネル１７には、第２点検窓１１、第１点検窓１２、照明ランプ１３、機能入風口１４、機器動作状態ディスプレイ１５、及び機能還風口１６が設けられている。
【００４２】
第１点検窓１２は粗フィルタ４を交換するためのものであり、第２点検窓１１は精細フィルタ３を交換するためのものである。多機能外気送風機がトイレとバスルームに取り付けられる場合、照明ランプ１３は照明に用いられる。機器動作状態ディスプレイ１５は、各素子の動作状態をリアルタイムに表示し、精細フィルタ３及び粗フィルタ４の耐用寿命をプリアラームすることができる。
【００４３】
機器パネル１７の内側にさらにコントローラが設けられ、コントローラは、リモコンまたは外気送風無線局によって制御を行う。多機能外気送風機の外気送風機能、排气機能、暖房機能はいずれもコントローラによって単独に動作するように制御されることが可能である。
実施例二
【００４４】
多機能外気送風機はキッチンに用いられ、具体的には、多機能外気送風機はキッチンの吊り天井に取り付けられている。多機能外気送風機と実施例一との構成上の差異は、主に暖房ヒータ９が除かれることにある。使用者がキッチンで調理する時に、室内に清浄で新鮮な空気を導入する機能及び天井ファンの機能を実現する必要がある。この場合、外気送風モジュールの動作フローは以下の通りである。外気送風ファン７により動力が提供され、室外の新鮮な空気は配管を経て外気送風入風口６を介して導入される；導入された新鮮な空気が粗フィルタ４、精細フィルタ３、外気送風ヒータ２を通過した後、清浄で新鮮な空気は得られる；外気送風は外気送風出風口１から配管に合わせて室内に送り込まれ、さらに外気送風出風口１に接続されている分岐管路によってキッチンに送り込まれる。機能モジュールの動作フローは以下の通りである。機能ファン８がオンに制御され、室内空気は機能入風口１４から機能ファン８内に吸い込まれ、機能ファン８を経た後直接機能還風口１６から排出され、これにより、ファンに類似する効果が達成されて天井ファンの機能が実現される。この時、機能モジュールは外気と気体交換を行わず、換気を支援するだけである。
【００４５】
本実用新案では、外気送風を配管によって室内に送り込むことができ、その排風部分には、室内に通じる配管を単独に取り付けなくてもよいため、外気送風と排風のいずれに対しても室内及び室外部分の配管を取り付ける必要があるという従来の外気送風システムにおける欠点を効果的に解決でき、取り付け及び材料コストを低減させることができる。
【００４６】
本実用新案では、外気送風、排風、暖房、照明の機能が集積される。外気送風システム、暖房機器の機能が集積され、材料、取り付け、メンテナンスのコストが低減される。
【００４７】
本実用新案の外気送風と排風はそれぞれ独立なシステムであり、室内に外気送風を送り込むと同時に、排風を動作させることができる。これにより、室内に新鮮で清浄な空気を送り込むと同時に室内の旧い空気をタイムリーに排出することが実現される。また、暖房機能が使用される時に、外気送風機能は独立に動作することができ、外気送風を２４時間動作させることが保証される。一方、暖房機能がオフされた後、排風機能を動作させることができる。
【００４８】
以上述べた実施例の各技術特徴は任意に組み合わせることができ、説明を簡潔にするために、上記実施形態における各技術特徴の全ての可能な組み合わせについて説明していなかったが、これらの技術特徴の組み合わせは矛盾なき限り、本明細書に記載の範囲内と考えるべきである。
【００４９】
以上に記載の実施例はただ本願のいくつかの実施形態を表現し、その説明は具体的で詳細であるが、これで出願実用新案登録の範囲を限定すると解釈されるべきではない。指摘すべきものとして、当業者であれば、本願の構想から逸脱しない前提で、さらにいくつかの変形及び改良を行うことができ、これらはいずれも本願の保護範囲に属する。したがって、本願考案の保護範囲は添付の請求項に準ずるべきである。
【図１】
0003235004.tif 000003
【図２】
0003235004.tif 000004
【図３】
0003235004.tif 000005
【図４】
0003235004.tif 000006